(57)【特許請求の範囲】
【請求項１】
複数の支柱とその間に架設される棚板とからなる商品陳列棚において、商品陳列棚の前方の少なくとも２本の支柱それぞれに対して、上下方向に延びる装飾支柱が前記支柱に設けた係合孔を介して取り付けられ、前記装飾支柱の断面形状が、その前方部を頂点とする三角形状であり、かつ装飾支柱は色彩的に他の棚や支柱と区別できる色になっており、前記装飾支柱間の棚が特殊な領域であることをアピールきるようにしたことを特徴とする商品陳列用装置。
【請求項２】
少なくとも２本の前記装飾支柱の上方部を、装飾梁で連結し、アーチ状の構造とした請求項１に記載の商品陳列用装置。
【請求項３】
前記装飾梁が、中央部が前方へ突出するように湾曲して形成されている請求項２に記載の商品陳列用装置。
【請求項４】
少なくとも２本の装飾支柱間に、所定枚数の棚板を固定して棚ユニットを構成し、前記商品陳列棚の空きスペースに対してこの棚ユニットを挿入固定できるようになっている請求項１ないし３のいずれか１項に記載の商品陳列用装置。
【発明の詳細な説明】
【０００１】
【発明の属する技術分野】
本発明は、商品陳列棚に陳列された商品の中で特に購買者や特定の関係者に注視して欲しい商品をアピールできる商品陳列用装置に関する。
【０００２】
【従来の技術】
従来、商品陳列棚上の特定の商品をアピールするには、照明を用いて注目を集める手法が用いられており、この場合商品陳列棚の支柱、棚もしくは天井、壁等にスポット照明装置を固定し注視させたい商品にスポット的に照明を射てるようにしている。
【０００３】
【発明が解決しようとする課題】
しかし、この方式を用いる場合には、スポット照明装置を配置し、固定するために手間がかかるばかりか、電源を確保するために配線問題も生じる。
【０００４】
さらに他の方法として、特定の棚に色つきのマットを敷き、そこに置かれた商品を他の商品よりも目立たせる手法もあるが、マットのずれ等により商品が落下する危険があり、また設営に手間がかかってしまう。
【０００５】
本発明は、簡単な構造でありながら、商品陳列棚における特定の棚に注目を集めることのできる商品陳列用装置を提供することを目的とする。
【０００６】
【課題を解決するための手段】
上記目的を達成するために、本発明の商品陳列用装置は、複数の支柱とその間に架設される棚板とからなる商品陳列棚において、商品陳列棚の前方の少なくとも２本の支柱それぞれに対して、上下方向に延びる装飾支柱が前記支柱に設けた係合孔を介して取り付けられ、前記装飾支柱の断面形状が、その前方部を頂点とする三角形状であり、かつ装飾支柱は色彩的に他の棚や支柱と区別できる色になっており、前記装飾支柱間の棚が特殊な領域であることをアピールきるようにしたことを特徴としている。
この特徴により、少なくとも２本の上下方向に延びる装飾支柱の間、すなわち商品陳列棚の前方に配置された装飾支柱と装飾支柱との間が特定の棚の領域であることを印象付ける機能を有することとなり、特別な手法を用いることなく簡単な構造で商品陳列棚の特定の棚に注目を集めることができる。また装飾支柱が側方から、もしくは斜めから客の目に入り、周囲から客等を呼び寄せることができ、その上色彩により他の棚領域と明確な区別が可能となる。
【０００７】
本発明の商品陳列用装置は、少なくとも２本の前記装飾支柱の上方部を、装飾梁で連結し、アーチ状の構造とすることが好ましい。
このようにすることにより、上下方向に延びる装飾支柱が装飾梁で結ばれて、アーチ状の門となり、注目を集めたい棚の特定が確実なものとなる。
【０００８】
本発明の商品陳列用装置は、前記装飾梁が、中央部が前方へ突出するように湾曲して形成することが好ましい
このようにすることにより、装飾梁が側面もしくは斜め方向からも目立つこととなり、周囲から客等を呼び寄せることができる。
【００１０】
本発明の商品陳列用装置は、少なくとも２本の装飾支柱間に、所定枚数の棚板を固定して棚ユニットを構成し、前記商品陳列棚の空きスペースに対してこの棚ユニットを挿入固定できるようにすることが好ましい。
このようにすることにより、棚のない空きスペースを利用して特殊な領域としてアピールできる棚を提供できることになる。
【００１２】
【発明の実施の形態】
以下、本発明の実施形態を図面に基づいて説明すると、図１は、第１実施例としての商品陳列用装置を示すものであり、支柱１間に棚板２が複数固定された商品陳列棚４の各棚板２には各商品が載置されるようになっている。
【００１３】
本実施例の商品陳列用装置は、上下方向に延びる装飾支柱３が商品陳列棚４の前方に２本取り付けられるものであり、その装飾支柱３と装飾支柱３との間に挟まれた棚の部分が、特殊な領域であることをアピールするものである。
【００１４】
この装飾支柱３は、色彩的に他の棚や支柱等と区別できる色になっていることが好ましい。また文字等で、領域の説明を加えられていると、なお効果が向上する。
【００１５】
図２，図３には、前記した図１の装飾支柱３の商品陳列棚４への取付け構造が示されており、基本的に商品陳列棚４の支柱１に対して、支柱１に設けられた係合孔５を利用して取り付けられる。
【００１６】
図３に示された係合金具６は、爪部７を有するとともに、その前方に一体に固定される係合片８から成り、取付に際して始めに支柱１の係合孔５に前記した係合金具６の爪部が係合され、続いてこの係合金具６の係合片８が、装飾支柱３の裏面に設けられた係止体９の係止切欠１０に嵌合されることによって、装飾支柱３を支柱１に固定できるようになっている。なお、装飾支柱３はその断面が図示されるように三角形状となっている。
【００１７】
図４は、第２実施例としての商品陳列用装置を示すものであり、第１実施例との相違点は、装飾支柱３と隣の装飾支柱３との上部に装飾梁１２が設けられている点である。
【００１８】
この装飾梁１２は、図５に示されるように断面三角形状の装飾支柱３の内側側面に対して、装飾梁１２の内折り片１４を固定するように取り付けられる構造であり、それぞれに設けられたネジ孔１３とネジ孔１５にネジ等を利用して両者が固定される。
【００１９】
ここで装飾梁１２は、前方が突出するように湾曲して固定されている。このような構造の商品陳列用装置は、装飾梁１２が前方に突出しているため、客は、その正面に立たなくても、側方から、もしくは斜めからでも目にはいることになる。
【００２０】
もちろん装飾支柱３が三角形の断面を有し、商品陳列棚の全面に設けられているため、同様にこの装飾支柱３も側方から、もしくは斜めから客の目に入ることとなる。
【００２１】
なお、装飾梁１２を、他の棚や支柱と区別できるように色分けすることが好ましい。
【００２２】
図６には、第３実施例が示されており、前述の門型の商品陳列用装置と同様の商品陳列用装置であるが、適用される商品陳列棚４が、前方に支柱にないタイプのものである。すなわち、後方部のみに支柱が設けられ、片持ち的に棚２が支持されるようになったものである。
【００２３】
この場合、装飾支柱３は、図７に示されるように、支柱１の前後面に設けられた係合孔５を利用してアーム状係合金具１６で支柱１に固定されるようになっている。このアーム状係合金具１６は、中央にアーム部分が存在する点で図３で示された係合金具６とほぼ同じであり、７は爪部であり、８，８’は係合片である。
【００２４】
装飾支柱３と支柱１との取付に際して、始めに支柱１の係合孔５に前記したアーム状係合金具１６の爪部７が係合され、続いて、このアーム状係合金具１６の係合片８，８’が、装飾支柱３の裏面に設けられた係止体９の係止切欠１０に嵌合されることによって、装飾支柱３を支柱１に固定される。
【００２５】
図８には、第４実施例が示され、立設される２本の装飾支柱３間に棚板１７が設けられたものであり、装飾支柱３に直接複数の棚板１７が固定されており、棚ユニット１１を構成している。
【００２６】
この棚ユニット１１は、図８，図９に示されるように商品陳列棚４の空きスペースに、棚板１７を挿入するように押し込み第１実施例と同様の固定されることによって安定化できる。
【００２７】
この実施例では、商品陳列棚４の空きスペースのみならず、商品陳列棚４の側部に棚ユニット１１を固定し、陳列部分を増設する形態の利用が可能である。
【００２８】
また、棚ユニット１１の所定部位を、他の棚や支柱と区別できるように色分けすることが好ましい。
【００２９】
以上の本発明の実施例を図面により説明してきたが具体的な構成がこれら実施例に限られたものでなく、本発明の要旨を逸脱しない範囲における変更や追加があっても本発明に含まれる。
【００３０】
【発明の効果】
本発明は以下の効果を奏する。
【００３１】
（ａ）請求項１項の発明によれば、少なくとも２本の上下方向に延びる装飾支柱の間、すなわち商品陳列棚の前方に配置された装飾支柱と装飾支柱との間が特定の棚の領域であることを印象付ける機能を有することとなり、特別な手法を用いることなく簡単な構造で商品陳列棚の特定の棚に注目を集めることができる。また装飾支柱が側方から、もしくは斜めから客の目に入り、周囲から客等を呼び寄せることができ、その上色彩により他の棚領域と明確な区別が可能となる。
【００３２】
（ｂ）請求項２項の発明によれば、上下方向に延びる装飾支柱が装飾梁で結ばれて、アーチ状の門となり、注目を集めたい棚の特定が確実なものとなる。
【００３３】
（ｃ）請求項３項の発明によれば、装飾梁が側面もしくは斜め方向からも目立つこととなり、周囲から客等を呼び寄せることができる。
【００３５】
（ｄ）請求項４項の発明によれば、棚のない空きスペースを利用して特殊な領域としてアピールできる棚を提供できることになる。
【図面の簡単な説明】
【図１】第１実施例の商品陳列用装置の斜視図である。
【図２】第１実施例の商品陳列用装置における装飾支柱と支柱との斜視図である。
【図３】第１実施例の商品陳列用装置の装飾支柱を支柱に係合金具用いて係合する方法を示した斜視図である。
【図４】第２実施例の商品陳列用装置の斜視図である。
【図５】第２実施例の商品陳列用装置における装飾梁の取付方法を示す斜視図である。
【図６】第３実施例の商品陳列用装置の斜視図である。
【図７】第３実施例の商品陳列用装置の装飾支柱を後部支柱にアーム状係合金具用いて係合する方法を示した斜視図である。
【図８】第４実施例の商品陳列用棚と棚ユニットとの斜視図である。
【図９】第４実施例の商品陳列用棚に棚ユニットを装着した斜視図である。
【符号の説明】
１           支柱
２，１７    棚板
３           装飾支柱
４           商品陳列棚
５           係合孔
６           係合金具
７           爪部
８，８’    係合片
９           係止体
１０         係止切欠
１１         棚ユニット
１２         装飾梁
１３，１５    ネジ孔
１４         内折り片
１６         アーム状係合金具
【図１】
0004510200.tif 000002
【図２】
0004510200.tif 000003
【図３】
0004510200.tif 000004
【図４】
0004510200.tif 000005
【図５】
0004510200.tif 000006
【図６】
0004510200.tif 000007
【図７】
0004510200.tif 000008
【図８】
0004510200.tif 000009
【図９】
0004510200.tif 000010